(57)【特許請求の範囲】
【請求項１】
隣接する金属屋根材のいずれか一方の金属屋根材の側部を他方の金属屋根材の側部に重ね合せて敷設可能な金属屋根材において、金属屋根材の屋根材本体の両方の側端部には下方に折り返し屈曲された補強部が形成され、各補強部にはリブ部が下方に突出して屈曲形成されて成ることを特徴とする金属屋根材。
【請求項２】
前記屋根材本体の上面には、この屋根材本体に隣接する他の屋根材本体との重ね合わせ位置の基準となる位置決め部が設けられて成ることを特徴とする請求項１に記載の金属屋根材。
【請求項３】
請求項１又は２に記載の金属屋根材を用いた敷設構造であって、屋根下地に敷設された金属屋根材の屋根材本体と、この金属屋根材に隣接する他の金属屋根材の屋根材本体の側部とが重ね合わせられ、前記補強部及び前記リブ部が前記屋根材本体の下方に位置されて成ることを特徴とする金属屋根材の敷設構造。
【発明の詳細な説明】
【技術分野】
【０００１】
本発明は、金属横葺き屋根材などの金属屋根材及びこれを用いた敷設構造に関するものである。
【背景技術】
【０００２】
従来より、複数枚の金属屋根材を屋根下地に縦横に敷設することにより屋根を形成することが行われているが、この場合、横方向（屋根の勾配方向と直交する方向）で隣接する金属屋根材を接続するにあたっては、金属屋根材の側部同士を上下に重ね合わせるようにしている。例えば、特許文献１に記載の金属屋根材Ａでは、図１１（ａ）に示すように、略平板状に形成される屋根材本体１の両側部２の各々に複数本のリブが設けられている。これらのリブ３１は屋根の勾配方向と略平行に長く形成され、また横方向に略等間隔で並設されている。そして、図１１（ｂ）に示すように、屋根下地６の上に敷設した金属屋根材Ａの側部の上に、他の金属屋根材Ａの側部２を被せるようにして、二枚の金属屋根材Ａ、Ａを横方向に隣接させて敷設するようにしている。上記のリブ３１は防水性を向上させたり接続部分の剛性を高めたりするために設けられている。
【先行技術文献】
【特許文献】
【０００３】
【特許文献１】特開２０１０−１５９５９７号公報
【発明の概要】
【発明が解決しようとする課題】
【０００４】
しかし、上記のような金属屋根材Ａでは、上側に重ね合わせた金属屋根材Ａの側端部に設けたリブが筋状や溝状に視認されるために、屋根の外観が低下するという問題があった。
【０００５】
本発明は上記の点に鑑みてなされたものであり、屋根の外観が低下しにくい金属屋根材及びその敷設構造を提供することを目的とするものである。
【課題を解決するための手段】
【０００６】
本発明に係る金属屋根材は、隣接する金属屋根材のいずれか一方の金属屋根材の側部を他方の金属屋根材の側部に重ね合せて敷設可能な金属屋根材において、金属屋根材の屋根材本体の両方の側端部には下方に折り返し屈曲された補強部が形成され、各補強部にはリブ部が下方に突出して屈曲形成されて成ることを特徴とするものである。
【０００７】
前記屋根材本体の上面には、この屋根材本体に隣接する他の屋根材本体との重ね合わせ位置の基準となる位置決め部が設けられていることが好ましい。
【０００８】
本発明に係る金属屋根材の敷設構造は、前記金属屋根材を用いた敷設構造であって、屋根下地に敷設された金属屋根材の屋根材本体と、この金属屋根材に隣接する他の金属屋根材の屋根材本体の側部とが重ね合わせられ、前記補強部及び前記リブ部が前記屋根材本体の下方に位置されて成ることを特徴とするものである。
【発明の効果】
【０００９】
本発明では、補強部及びリブ部が屋根材本体の下方に形成されているため、補強部及びリブ部が屋根材本体の下方に位置して視認しにくくなり、屋根の外観が低下しにくくなるものである。
【図面の簡単な説明】
【００１０】
【図１】本発明の実施の形態の一例を示す斜視図である。
【図２】同上の一部を示し、（ａ）は一例の断面図、（ｂ）は他例の断面図である。
【図３】（ａ）、（ｂ）は同上の断面図である。
【図４】同上の接続状態を示す斜視図である。
【図５】同上の接続状態を示す一部の断面図である。
【図６】同上の接続工程を示し、（ａ）乃至（ｆ）は一部の断面図である。
【図７】同上の接続状態を示す斜視図である。
【図８】同上の接続工程を示し、（ａ）乃至（ｃ）は一部の斜視図である。
【図９】同上の接続工程を示し、（ａ）は一部の断面図、（ｂ）（ｃ）は一部の斜視図である。
【図１０】同上の他の実施の形態の一例を示し、（ａ）は斜視図、（ｂ）は接続状態を示す断面図である。
【図１１】従来例を示し、（ａ）は斜視図、（ｂ）は接続状態を示す断面図である。
【発明を実施するための形態】
【００１１】
以下、本発明を実施するための形態を説明する。
【００１２】
本発明の金属屋根材Ａは、金属板をロール成形加工などで加工して所望の形状に形成されている。金属板としては、厚み０．３〜０．５ｍｍのものを好適に用いることができ、また、金属板の種類としては、塗装鋼板や亜鉛めっき鋼板、ガルバリウム鋼板（登録商標）などの各種のものを用いることができる。尚、製造については、従来ではロール成形機で対応するしかなかったが、本発明の金属屋根材ＡはＲ加工（曲面加工）がほとんどないためベンダー加工機でも対応でき、また、端部加工はヘミング曲げ加工及びプレス加工で対応できる。
【００１３】
本発明の金属屋根材Ａは、図１に示すように、略平板状に形成される屋根材本体１と、屋根材本体１の両方の側部２の下方（下面側）に形成される補強部３と、補強部３に形成されるリブ部７と、屋根材本体１の水下側端部（例えば、軒側端部）に形成される嵌合部４と、屋根材本体１の水上側端部（例えば、棟側端部）に形成される被嵌合部５と、被嵌合部５の水上側端部に突設される固定片１０とを備えて形成されている。
【００１４】
屋根材本体１は横方向（屋根勾配と直交する方向）に長く形成されており、横方向の長さ寸法Ｌ１は、例えば、２０００ｍｍ程度の定尺とすることができ、また、屋根材本体１の縦方向（屋根勾配方向）の働き幅Ｌ２は、例えば、２００ｍｍ程度とすることができる。図２（ａ）に示すように、補強部３は、屋根材本体１の側部２を補強するために、側部２の下面（裏面）に接触乃至近接して設けられている。補強部３は屋根材本体１の側端部から側部２の下方に折り返し屈曲して形成することができる。また、補強部３は屋根材本体１の縦方向の略全長にわたって形成されている。補強部３の幅寸法Ｌ３は、側部２を補強するために、屋根材本体１の側端から２０〜１００ｍｍとするのが好ましい。リブ部７は、補強部３の先端に形成されるものであって、補強部３の先端から下方に突出して断面略Ｕ字状に屈曲により形成されている。また、リブ部７の先端には支持部８が突設されている。リブ部７及び支持部８は補強部３に縦方向の略全長にわたって形成されている。また、リブ部７の幅寸法Ｌ４及び深さ寸法Ｌ５は、側部２を補強するために、Ｌ４は４〜２０ｍｍ、Ｌ５は１〜５ｍｍとするのが好ましい。また、支持部８のリブ部７からの突出寸法Ｌ６は、側部２を補強するために、５〜２０ｍｍとするのが好ましい。また、図２（ｂ）に示すように、支持部８の先端にさらに上記と同様のリブ部７と支持部８とを二カ所以上設けることができ、これにより、補強効果を向上させることができる。
【００１５】
屋根材本体１の側端部は、屋根材本体１の表面から斜め下方に下り傾斜するように屈曲された当接部９として形成されている。当接部９は側部２と補強部３の境界部付近を下向きに屈曲することにより形成することができる。当接部９は屋根材本体１の縦方向の略全長にわたって形成されている。当接部９は金属屋根材Ａの防錆・剛性を向上させるために屋根材本体１のエッジを外部から見えにくくするものであり、その幅寸法Ｌ７は３〜１０ｍｍとするのが好ましい。上記の補強部３、リブ部７，支持部８及び当接部９は、屋根材本体１の両方の側部２に各々設けられており、金属屋根材Ａは左右対称に形成されている。
【００１６】
嵌合部４は屋根材本体１の横方向の略全長にわたって形成されており、縦方向の断面形状が略倒Ｕ字状に形成されており、その厚みＴは、例えば、５ｍｍ程度とすることができる。被嵌合部５は屋根材本体１の横方向の略全長にわたって形成されており、上片５ａと下片５ｂとを軒側端部で接続することにより縦方向の断面形状が略倒Ｖ字状に形成されている。また、図３（ａ）（ｂ）に示すように、被嵌合部５は上片５ａと下片５ｂとを上下方向で近接離間自在に形成することにより、被嵌合部５は上下に伸縮自在に形成されている。固定片１０は屋根材本体１の横方向の略全長にわたって形成されており、縦方向の断面形状が略逆へ字状に形成されており、被嵌合部５の上片５ａから後方に向かって突設されている。上記のように、本発明の金属屋根材Ａは、嵌合部４の曲げＲ加工を極力なくし、重ねやすい直線形状の部位を組合せて形成している。また、嵌合部（前はぜ部）４は外観上見えるため及び耐久性（塗膜の割れによる錆発生防止）や水密性の向上のため、Ｒ曲げ仕上げをするが、被嵌合部（後ろはぜ部）５は倒Ｖ型形状とし、曲げＲ加工を極力少なくしている。
【００１７】
そして、本発明の金属屋根材Ａはその複数枚を野地板などの屋根下地６の上に縦横に敷設するものであり、これにより、金属屋根を形成することができる。この場合、隣接して敷設されて金属屋根材Ａ、Ａは取り付け強度の確保や防水性の向上のために接続されている。
【００１８】
図３に示すように、横方向で隣接する金属屋根材Ａ、Ａは、一方の金属屋根材Ａの屋根材本体１の側部２と他方の金属屋根材Ａの屋根材本体１とを上下に重ね合わせることにより接続される。ここで、金属屋根材Ａの縦方向の断面形状は横方向の全長にわたって略一定であるため、重ね合わせ寸法は任意に設定可能であり、横方向で隣接する金属屋根材Ａ、Ａの接続部分の防水性を向上させるために、屋根材本体１の側端から１００ｍｍ以上重ね合わせることが好ましいが、金属屋根の各部分の納めの寸法調整に応じて重ね合わせ寸法を変えることができる。尚、重ね合わせる寸法の上限は特に設定されないが、あまりに大きいと金属屋根材Ａに無駄な部分が増加してしまうので、重ね合わせる寸法は屋根材本体１の側端から横寸法の半分以下とするのが好ましく、より好ましくは２００ｍｍ以下にするのがよい。従って、横方向で隣接する金属屋根材Ａ、Ａは側部２，２同士を上下に重ね合わせる場合や、一方の金属屋根材Ａの屋根材本体１の側部２と他方の金属屋根材Ａの屋根材本体１の横方向の中央部付近とを上下に重ね合わせる場合などがある。また、金属屋根材Ａは左右対称であるために、横方向で隣接する金属屋根材Ａ、Ａの左右のどちらも上に重ねることが可能であり、屋根下地６の横方向の左右何れの方向からでも順次敷設していくことができる。
【００１９】
このようにして上下に重ね合わされた金属屋根材Ａ、Ａにおいて、図５に示すように、下側に位置する金属屋根材Ａは、屋根下地６の上面に当接部９の先端が当接し、リブ部７が屋根下地６の上面に近接乃至接触している。従って、リブ部７と当接部９との間において補強部３と屋根下地６との間に隙間２９が形成され、この隙間２９が等圧空間となるために、雨水等が屋根下地６の上面と当接部９の先端との間から屋根材本体１の下側へ浸入しにくくなって、横方向に隣接する金属屋根材Ａ、Ａの接続部分の防水性を向上させることができる。また、上側に位置する金属屋根材Ａは、下側の金属屋根材Ａの屋根材本体１の上面に当接部９の先端が当接し、上側の金属屋根材Ａのリブ部７が下側の金属屋根材Ａの屋根材本体１の上面に近接乃至接触している。従って、上側の金属屋根材Ａのリブ部７と当接部９との間において上側の金属屋根材Ａの補強部３と下側の金属屋根材Ａの屋根材本体１との間に隙間２８が形成され、この隙間２８が等圧空間となるために、雨水等が下側の金属屋根材Ａの屋根材本体１の上面と上側の金属屋根材Ａの当接部９の先端との間から上側の金属屋根材Ａの屋根材本体１の下側へ浸入しにくくなって、横方向に隣接する金属屋根材Ａ、Ａの接続部分の防水性を向上させることができる。さらに、上記の隙間２８，２９に浸入した雨水等は隙間２８、２９内を屋根の勾配方向に沿って流下するものであり、横方向に隣接する金属屋根材Ａ、Ａの接続部分の排水性を向上させることができるものである。
【００２０】
また、金属屋根材Ａの側部２は補強部３により補強されており、さらに、リブ部７及び支持部８でも側部２は補強されている。従って、横方向に隣接する金属屋根材Ａ、Ａの接続部分は剛性が向上しており、風荷重や施工時に歩行圧が加わっても、破損や変形及びこれらによる防水性の低下が起こりにくくなっている。しかも、補強部３やリブ部７及び支持部８は屋根材本体１の側部２の下方に形成されているため、金属屋根材Ａの上方から視認されにくいものであり、屋根の外観が低下しにくくなるものであり、また、フラットな屋根材本体１の場合には建物全体として調和のとれた意匠を表現しやすくなる。
【００２１】
次に、横方向及び縦方向の金属屋根材Ａ、Ａの接続について詳述する。まず、図６（ａ）に示すように、被嵌合部５を上方に伸長した状態で金属屋根材Ａを屋根下地６に載置し、図６（ｂ）に示すように、ビスなどの固定具１１を固定片１０及び屋根下地６に打ち込んで固定片１０を固定する。このように固定片１０を固定することにより、被嵌合部５を上下に収縮して上下寸法（厚み）を小さくした状態で形状を固定（確定）することができる。次に、固定した金属屋根材Ａに別の金属屋根材Ａを横方向に並べて載置する。このとき、上記のように、隣接する金属屋根材Ａ、Ａは側部２、２を上下に重ね合わせることにより接続する。また、図６（ｃ）に示すように、固定した金属屋根材Ａの被嵌合部５の軒側及び上側に、新たに配置する方の金属屋根材Ａの被嵌合部５を被せるようにし、また、固定した金属屋根材Ａの固定片１０の上側に新たに配置する方の金属屋根材Ａの固定片１０を被せるようにする。次に、図６（ｄ）に示すように、固定具１１を新たに配置した金属屋根材Ａの固定片１０と、固定した金属屋根材Ａの固定片１０と、屋根下地６に打ち込んで新たに配置した金属屋根材Ａの固定片１０を固定する。このようにして横一列に複数枚の金属屋根材Ａ、Ａ…を敷設した後、これら敷設した金属屋根材Ａの棟側に他の複数枚の金属屋根材Ａ、Ａ…を横一列に順次敷設していく。このとき、図６（ｅ）に示すように、棟側の金属屋根材Ａの嵌合部４を軒側の重なった被嵌合部５、５に嵌合し、この後、図６（ｆ）に示すように、さらに他の棟側の金属屋根材Ａの嵌合部４を上記の棟側の金属屋根材Ａの嵌合部４と軒側の金属屋根材Ａの被嵌合部５、５とに嵌合する。このように、最終的には、二つの嵌合部４、４と二つの被嵌合部５、５とが嵌合して重なった状態となるが、被嵌合部５は略倒Ｖ字状で重なり、面が総て斜め形状（三角形状）となるため、嵌合部４をスムーズに嵌合することができる。
【００２２】
また、本発明の金属屋根材Ａは嵌合部４や被嵌合部５に屋根材本体１の表面に対して垂直となる部位がないため、図７に示すように、屋根材本体１をその側部２が上方に突出するように略直角に容易に折り曲げることができる。従って、屋根下地６と立ち上がり壁との境界部分の納め構造において、金属屋根材Ａを切断することが無くなり、重ね合わせ寸法で調整することができ、施工現場での廃材の発生を極力少なくすることができる。また、本発明は上記のように折り曲げやすい形状であるので、切断することなく、屋根下地６の表面に沿わせて降り棟に敷設することができる。すなわち、屋根下地６の長面６ａと短面６ｂとが降り棟６ｃを介して隣接する場合、まず、図８（ａ）に示すように、長面６ａに複数枚の金属屋根材Ａ、Ａ…を横方向及び軒側から棟側に向かって敷設していくが、最も短面６ｂに近い部分に敷設した金属屋根材Ａの短面６ｂ側の側部２を折り曲げて短面６ｂの表面に沿わせて配置するようにする。次に、図８（ｂ）に示すように、短面６ｂに複数枚の金属屋根材Ａ、Ａ…を横方向及び軒側から棟側に向かって敷設していくが、最も長面６ａに近い部分に敷設した金属屋根材Ａの長面６ａ側の側部２を折り曲げて、長面６ａに敷設した金属屋根材Ａの表面に沿わせて配置するようにする。この後、図８（ｃ）及び図９（ａ）に示すように、断面略へ字状のカバー材１３を降り棟６ｃ及び棟６ｄに取り付けることにより、金属屋根材Ａを施工することができる。そして、図９（ｂ）に示すように、屋根下地と立ち上がり壁との境界部分に施工する場合と同様に、金属屋根材Ａを切断することなく、重ね合わせ寸法を調整して納めることができ、施工現場での廃材の発生を極力少なくすることができる。また、図９（ｃ）に示すように、本発明の金属屋根材Ａは短面６ｂに施工する場合、軒側から棟側に葺き上げていくにつれて、重ね合わせ部分Ｋ（点々模様で示す）の寸法が短くなっていくが、長面６ａに施工する場合は重ね合わせ部分Ｋ（点々模様で示す）の寸法が一定で切断もすることなく納めることができる。
【００２３】
図１０（ａ）に他の実施の形態を示す。この金属屋根材Ａには、上記のようにして横方向に隣接する金属屋根材Ａを上下に重ね合わせる際に、重ね合わせ位置の基準（目安）となる位置決め部３０が形成されている。その他の構成は上記図１に示す実施の形態と同様である。位置決め部３０は屋根材本体１の横方向の中央部を挟んで両側に一箇所ずつ設けることができる。位置決め部３０は金属屋根材Ａの上方から視認可能であればよく、例えば、屋根材本体１に縦方向に長い段差を設けて位置決め部３０とすることができる。この場合、段差の高低差は、あまり目立たないようにするために、０．５〜５ｍｍとするのが好ましい。
【００２４】
そして、位置決め部３０を備えた金属屋根材Ａも上記と同様にして敷設して屋根を形成することができる。図１０（ｂ）に示すように、横方向で隣接する金属屋根材Ａ、Ａを接続するにあたっては、一方の金属屋根材Ａの屋根材本体１の側部２と他方の金属屋根材Ａの屋根材本体１とを上下に重ね合わせるようにするが、この場合、下側の金属屋根材Ａの位置決め部３０に上側の金属屋根材Ａの当接部９を載置する。これにより、当接部９が位置決め部３０に係止されて下側の金属屋根材Ａに対する上側の金属屋根材Ａを位置決めすることができ、施工を容易に行うことができる。また、位置決め部３０の部分は目地のような外観に見え、屋根の外観が低下しにくくなる。もちろん、横方向に隣接する金属屋根材Ａ、Ａの接続部分の防水性や排水性や剛性は上記と同様に向上させることができるものである。
【符号の説明】
【００２５】
Ａ  金属屋根材
１  屋根材本体
２  側部
３  補強部
７  リブ部
３０  位置決め部
【図１】
0005802029.tif 000002
【図２】
0005802029.tif 000003
【図３】
0005802029.tif 000004
【図４】
0005802029.tif 000005
【図５】
0005802029.tif 000006
【図６】
0005802029.tif 000007
【図７】
0005802029.tif 000008
【図８】
0005802029.tif 000009
【図９】
0005802029.tif 000010
【図１０】
0005802029.tif 000011
【図１１】
0005802029.tif 000012